(57)【特許請求の範囲】
【請求項１】
制御データと情報データとを含む送信すべきデータを生成して出力するデータ生成部と、
多重数または変調方式に起因する、受信側における受信電界強度の検出誤差の補正量を出力する補償用パラメータ生成部と、
該補償用パラメータ生成部から出力された該補正量と該データ生成部から出力された該送信すべきデータとを符号化して符号化データを出力するコーダ部と、
該コーダ部から出力された該符号化データを無線周波数に変換して無線信号を出力する第１無線部とをそなえて構成されたことを特徴とする、無線通信システム用の端末局。
【請求項２】
多重数または変調方式に起因する、受信側における受信電界強度の検出誤差の補正量と、送信されたデータとを含む無線信号を受信し、該無線信号を周波数変換した受信主信号と、該無線信号についての受信電界強度電圧とのうちの少なくとも一つを出力する第２無線部と、
該第２無線部から出力された該受信主信号に起因するベースバンド信号を出力するデコード部と、
該第２無線部から出力された該受信電界強度電圧に起因する受信電界強度データと該補正量とを出力する補償用パラメータ出力部と、
該補償用パラメータ出力部から出力された該受信電界強度データと該補正量とに基づいて補正受信電界強度データを出力する補正部と、
該デコード部から出力された該ベースバンド信号と、該補正部から出力された補正受信電界強度データとに基づいて復調データを出力するデータ復調部とをそなえて構成されたことを特徴とする、無線通信システム用の基地局。
【請求項３】
所望の無線通信方式により変調された無線信号を送受信する複数の端末局と、
該端末局と通信する基地局とをそなえ、
該端末局が、
制御データと情報データとを含む送信すべきデータを生成して出力するデータ生成部と、
多重数または変調方式に起因する、受信側における受信電界強度の検出誤差の補正量を出力する補償用パラメータ生成部と、
該補償用パラメータ生成部から出力された該補正量と該データ生成部から出力された該送信すべきデータとを符号化して符号化データを出力するコーダ部と、
該コーダ部から出力された該符号化データを無線周波数に変換して該無線信号を出力する第１無線部とをそなえ、
さらに、
該基地局が、
該無線信号を受信し、該無線信号を周波数変換した受信主信号と、該無線信号についての受信電界強度電圧とのうちの少なくとも一つを出力する第２無線部と、
該第２無線部から出力された該受信主信号に起因するベースバンド信号を出力するデコード部と、
該第２無線部から出力された該受信電界強度電圧に起因する受信電界強度データと該補正量とを出力する補償用パラメータ出力部と、
該補償用パラメータ出力部から出力された該受信電界強度データと該補正量とに基づいて補正受信電界強度データを出力する補正部と、
該デコード部から出力された該ベースバンド信号と、該補正部から出力された補正受信電界強度データとに基づいて復調データを出力するデータ復調部とをそなえて構成されたことを特徴とする、無線通信システム。
【請求項４】
所望の無線通信方式により変調された無線信号を送受信する複数の端末局と、該端末局と通信する基地局とをそなえた無線通信システムにおいて、
該端末局が、１又は複数の送信チャネルごとに送信すべきデータを変調する変調ステップと、
該端末局が、該基地局に対して、多重数または変調方式に起因する、受信側における受信電界強度の検出誤差の補正量を取得する補償用パラメータ取得ステップと、
該端末局が、該変調ステップにて変調された該送信すべきデータと該補償用パラメータ取得ステップにて取得された該補正量とを符号化して符号化データを送信する送信ステップとをそなえて構成されたことを特徴とする、受信電界強度補償方法。
【請求項５】
所望の無線通信方式により変調された無線信号を送受信する複数の端末局と、該端末局と通信する基地局とをそなえた無線通信システムにおいて、
該基地局が、多重数または変調方式に起因する、受信側における受信電界強度の検出誤差の補正量を有する無線信号を受信する受信ステップと、
該基地局が、該受信ステップにて受信された該無線信号の受信電界強度を検出する検出ステップと、
該基地局が、該受信ステップにて受信された該無線信号に含まれる該補正量と該検出ステップにて検出された該受信電界強度とに基づいて、該受信電界強度の検出誤差を補正する補正ステップとをそなえて構成されたことを特徴とする、受信電界強度補償方法。
【発明の詳細な説明】
【０００１】
【発明の属する技術分野】
本発明は、基地局と通信する端末局に関し、特に、対数増幅器を用いた受信電界強度検出が可能な受信機を有し、信号波形の差異による受信電界強度検出精度の誤差を軽減させることが可能な、無線通信システム用の端末局，無線通信システム用の基地局及び無線通信システム並びに受信電界強度補償方法に関する。
【０００２】
【従来の技術】
多元接続無線通信方式としてのＣＤＭＡ（Code Division Multiple Access：符号分割多元接続）方式は、本来的に秘匿性と耐干渉性とを有し、かつ、無線周波数の有効利用が可能な多元接続方式として種々の通信システムに応用されている。近年、このＣＤＭＡ方式は、無線基地局によって形成された無線通信ゾーンに位置する個々の端末局の位置が大幅に変化し、あるいは異なることに起因する伝送品質の劣化（以下、遠近問題と称する。）の解決が可能となったために移動通信システムにも適用されている。
【０００３】
また、ソフトウェア無線機も研究されており、違法無線取り締まり用装置として適用されようとしている。このソフトウェア無線機とは、複数の変調方式に対応できる送受信機であって、最小限のハードウェアに複数の変調方式に対応したソフトウェアを、変調方式が変更される都度、ダウンロードなどにより書き換えることによって実現されるものである。
【０００４】
さらに、近年、これらの無線機の受信電界強度（ＲＳＳＩ：Received Signal Strength Indicator）の検出精度を向上させる要求も高まってきている。高い検出精度が要求される理由は、システム仕様によって、送信電力が規定されているからである。例えばＮ−ＣＤＭＡ（Narrow-Band ＣＤＭＡ）システムにおいて、平均送信電力と平均受信電力との関係は、（１）式により表される。
【０００５】
平均送信電力（ｄＢｍ）＝−平均受信電力（ｄＢｍ）−固定値（ｄＢｍ）…（１）
また、違法無線機が送出する電波の有無をＲＳＳＩから推定するために、ソフトウェア無線機についても、そのＲＳＳＩの検出精度に対する要求が高くなっており、その検出精度は、通常、数ｄＢ以下であることが求められている。
【０００６】
従来、このＲＳＳＩの検出方法は、受信機（基地局及び端末局の受信機）のＲＳＳＩ検出部に含まれる対数増幅器が、ＲＳＳＩに応じた電圧を発生し、そして、ＲＳＳＩとＲＳＳＩ検出値（上記出力電圧）とを対応させて、予め記憶したメモリを用いてＲＳＳＩを推定して検出するようにしている。
また、よく知られているように、ＲＳＳＩ検出部は、主に、高周波回路の中に設けられ、その推定されたＲＳＳＩに基づいて、携帯電話のディスプレイに、アンテナマークが表示される。
【０００７】
特に、ＣＤＭＡ方式によると、受信チャネル多重数にかかわらず、単一の対応テーブルを有するメモリを用いてＲＳＳＩを推定する方法などが一般に用いられている。
図１３は対数増幅器の入力電界（入力電界強度）と出力電圧との特性の一例を示す図であり、この図１３に示す特性カーブの出力電圧は、入力電界強度の検出値を示している。また、メモリテーブルのデータ例を図１４に示す。
【０００８】
図１４は出力電圧とＲＳＳＩとの対応を示す図である。この図１４に示すデータを得る方法は、出力電圧をアナログ／ディジタル変換（以下、Ａ／Ｄ変換と称する。）したディジタル値を、メモリの入力アドレス（以下、入力アドレスと略称することがある。）とし、メモリに書き込まれている出力電圧を得るようにしている。すなわち、受信電界強度が未知の電界にて受信した受信機は、ＲＳＳＩ検出部の出力電圧を入力アドレスとすることによって、ＲＳＳＩを推定できるのである。
【０００９】
一例として、図１４において、ＲＳＳＩ検出部の出力電圧が、例えば０.８４Ｖ（ボルト）であるときには、入力アドレスは５０（ＨＥＸ，１６進数を表す。）であり、この場合のＲＳＳＩ（データと表示されたもの）は、−５０ｄＢｍであることが推定される。同様に、ＲＳＳＩ検出部の出力電圧が１.２６Ｖであれば、ＲＳＳＩは−３０ｄＢｍであることが推定される。
【００１０】
また、メモリテーブルに保持されたデータ値をそのまま用いると、検出精度の劣化が生じるので、ＲＳＳＩデータ間に、他のデータを直線近似により補間する方法が用いられる。この直線近似を用いると、上記例において、出力電圧０.８４Ｖ，１.２６Ｖは、それぞれ、−５３ｄＢｍ，−３２ｄＢｍとなって検出精度が向上する。
【００１１】
【発明が解決しようとする課題】
しかしながら、ＣＤＭＡ方式を用いると、ＲＳＳＩ検出についての誤差が生じ、また、多重数の違いに基づく誤差も生じる。
まず、対数増幅器によるＲＳＳＩについて記述する。
ＲＳＳＩ検出に用いられる対数増幅器として使用される通常の増幅器の出力は、入力電圧ではなく、入力された中間周波数帯の信号波形に依存し、かつ、この信号波形の違いによって出力電圧に異なるオフセットが生じる。
【００１２】
図１５は対数増幅器の回路構成の一例を示すブロック図である。この図１５に示す対数増幅器１００は、複数のオペアンプ１０１と加算器（Σ）１０２とを有する。そして、入力信号（入力電圧）がＤＣ（Direct Current）信号又は矩形波（矩形波の信号）の場合、入力信号をＶｉｎ、出力信号（出力電圧）をＶｏｕｔとすると、対数増幅器１００の伝達関数は、（２）式で表される。
【００１３】
Ｖｏｕｔ＝Ｖｙ＊Ｌｏｇ（Ｖｉｎ／Ｖｘ）                      …（２）
ここで、Ｖｘ，Ｖｙは、それぞれ、対数増幅器１００のスケーリングを決定する固定電圧であって、Ｖｘはインターセプト電圧、Ｖｙはスロープ電圧を表す。また、＊，Ｌｏｇは、それぞれ、乗算，自然対数を表す。
なお、インターセプト，スロープは、それぞれ、トラフィック分析に用いられる回帰直線の切片，傾きに由来するものであって、システム仕様を設計するときの統計的パラメータである。
【００１４】
この図１５に示す対数増幅器１００が、ＲＳＳＩの検出に用いられると、入力信号がＤＣ信号又は矩形波以外の場合には、出力電圧はオフセットを生じる。
図１６は各種の入力された信号波形に関する出力電圧オフセット値を示す図である。この図１６に示すＤＣ信号に対する誤差（ｄＢ）は、入力された信号波形（入力波形）が正弦波，三角波などの場合に、入力波形がＤＣ信号の場合を基準にしたときの誤差を表している。すなわち、正弦波などの出力電圧は、ＤＣ信号よりも小さな値を有する電圧が出力されるのである。
【００１５】
次に、ＣＤＭＡ方式において、受信側が、同一キャリア（同一周波数）にチャネル多重された無線信号を受信すると、多重数が増えるに従って、その受信した信号波形が変化する。従って、上記と同様に、出力電圧にオフセットが生じ、ＲＳＳＩ検出誤差が生じる。
図１７はＮ−ＣＤＭＡシステムにおける多重数とＲＳＳＩ検出値との特性の一例を示す図である。この図１７に示す３本の特性カーブは、それぞれ、異なる多重数（１コード，１０コード及び６０コード）におけるものである。そして、これらの特性カーブ間のズレ（間隔）は、ＲＳＳＩ検出の誤差であって、１コード（単一コード）に対して、約４ｄＢの誤差を生じている。
【００１６】
一方、ＴＡＣＳ＋Ｎ−ＣＤＭＡシステムのように、マルチモードをサポートする（複数の通信方式に対応する）マルチモード端末においても、上記と同様な出力電圧オフセットが生じるため、ＲＳＳＩ検出部における受信電界とＲＳＳＩ検出値（出力電圧）とを推定しなければならない。このため、推定用メモリを複数用意する必要性が生じ回路規模が増大するという課題がある。
【００１７】
また、複数の変調方式をサポートする無線通信システムにおいては、変調方式の数に相当するメモリ個数が必要となり、回路規模が増大する。
さらに、ＣＤＭＡ方式においては、受信するチャネル多重数にかかわらず、単一のテーブルのみを有するメモリを用いてＲＳＳＩが推定されるため、チャネル多重数によってＲＳＳＩ検出の誤差が生じるという課題がある。
【００１８】
加えて、図１５を用いて説明したように、対数増幅器１００として使用される通常のデバイスは入力電圧ではなく、入力された信号波形に対する出力となり、かつ、その信号波形によって出力電圧にオフセットを生じる。従って、出力電圧はＣＤＭＡ方式においては基地局の多重数によって誤差を生じる課題がある。さらに、複数の変調方式をサポートする無線通信システムにおいては、変調方式によって誤差を生じるといった課題がある。
【００１９】
本発明は、このような課題に鑑み創案されたもので、符号分割多元接続通信方式を用いた無線通信システムにおいて、回路規模の増大を回避し、かつ、受信電界強度検出精度を向上させ、より正確な受信電界強度が検出可能な、無線通信システム用の端末局，無線通信システム用の基地局及び無線通信システム並びに受信電界強度補償方法を提供することを目的とする。
【００２０】
【課題を解決するための手段】
このため、本発明の無線通信システム用の端末局は、制御データと情報データとを含む送信すべきデータを生成して出力するデータ生成部と、多重数または変調方式に起因する、受信側における受信電界強度の検出誤差の補正量を出力する補償用パラメータ生成部と、補償用パラメータ生成部から出力された補正量とデータ生成部から出力された送信すべきデータとを符号化して符号化データを出力するコーダ部と、コーダ部から出力された符号化データを無線周波数に変換して無線信号を出力する第１無線部とをそなえて構成されたことを特徴としている。
【００２１】
また、好ましくは、上記コーダ部は、自局と他局とを識別する符号を用いて符号化するように構成することができる。
そして、補償用パラメータ生成部は、次の（１−１）〜（１−３）に示すように構成することができる。
（１−１）同一キャリアについての送信チャネル数を示す多重数を検出して出力する多重数検出部と、多重数検出部から出力された多重数に対応する電界強度補正量を補償用パラメータとして保持する第１補正メモリ。
【００２２】
ここで、多重数検出部は、イネーブル信号を保持する複数の保持部と、イネーブル信号に対応するチャネル番号を出力する第１カウンタと、第１カウンタから出力されたチャネル番号に対応する複数の保持部のアドレスを出力するアドレス出力部と、複数の保持部のそれぞれに保持されたイネーブル信号の数をカウントする第２カウンタとをそなえて構成されてもよい。
【００２３】
また、多重数検出部は、複数の送信チャネルを分割して得たチャネルグループごとにイネーブル数を出力するように構成されてもよく、データ生成部から出力される、同一キャリアについての送信チャネルのオン・オフを表すイネーブル信号の組み合わせからなるアドレスに基づく多重数を保持する多重数メモリをそなえて構成されてもよい。
【００２４】
（１−２）同一キャリアについての送信チャネル数を示す多重数を検出し多重数を補償用パラメータとして出力する多重数検出部。
加えて、上記補償用パラメータ生成部は、補償用パラメータ生成部における補償用パラメータをコーダ部に入力する第１制御部をそなえて構成することもできる。
【００２５】
また、本発明の無線通信システム用の基地局は、多重数または変調方式に起因する、受信側における受信電界強度の検出誤差の補正量と、送信されたデータとを含む無線信号を受信し、無線信号を周波数変換した受信主信号と、無線信号についての受信電界強度電圧とを出力する第２無線部と、第２無線部から出力された受信主信号に起因するベースバンド信号を出力するデコード部と、第２無線部から出力された受信電界強度電圧に起因する受信電界強度データと補正量とを出力する補償用パラメータ出力部と、補償用パラメータ出力部から出力された受信電界強度データと補正量とに基づいて補正受信電界強度データを出力する補正部と、デコード部から出力されたベースバンド信号と、補正部から出力された補正受信電界強度データとに基づいて復調データを出力するデータ復調部とをそなえて構成されたことを特徴としている。
【００２６】
また、好ましくは、第２無線部は、符号分割多重された無線信号を受信し、受信主信号とその無線信号についての受信電界強度電圧とを出力するように構成されてもよい。
そして、補償用パラメータ出力部は、次の（２−１）〜（２−３）に示すように構成することができる。
【００２７】
（２−１）第２無線部から出力された受信電界強度電圧に対応する受信電界強度データを保持する推定メモリと、受信主信号から、同一キャリアについての送信チャネル数を示す多重数に対応する電界強度補正量を補償用パラメータとして出力する第１補正量出力部。
また、この第１補正量出力部は、受信主信号から、電界強度補正量を抽出して出力する電界強度補正量抽出部として構成されてもよい。
【００２８】
（２−２）第２無線部から出力された受信電界強度電圧に対応する受信電界強度データを保持する推定メモリと、受信主信号から、同一キャリアについての送信チャネル数を示す多重数を出力する多重数受信部と、多重数受信部から出力された多重数に対応する電界強度補正量を補償用パラメータとして出力する第２補正量出力部。
【００２９】
また、この第２補正量出力部は、多重数に対応する電界強度補正量を保持する第２補正メモリにより構成されてもよい。
（２−３）第２無線部から出力された受信電界強度電圧に対応する受信電界強度データを保持する推定メモリと、受信主信号から、変調方式を表す変調パラメータを出力する変調パラメータ出力部と、変調パラメータ出力部から出力された変調パラメータに対応する電界強度補正量を補償用パラメータとして出力する第３補正量出力部。
【００３０】
また、この第３補正量出力部は、変調パラメータに対応する電界強度補正量を保持する第３補正メモリにより構成されてもよい。
さらに、上記の補償用パラメータ出力部は、いずれも、受信電界強度電圧に基づいて推定メモリから受信電界強度データを読み出して補正部に入力するメモリ制御部をそなえて構成することができ、このメモリ制御部は、受信電界強度に基づく所定の演算によって受信電界強度データを出力するように構成することができる。
【００３１】
加えて、上記の第２無線部は、入力電圧と出力電圧とが所望の特性を有する増幅器を用いて受信電界強度電圧を出力するように構成することができる。
また、上記の推定メモリは、受信電界強度電圧について、所定の特性を有する基準波に基づくオフセット値を考慮して受信電界強度データを保持するように構成することができる。
【００３２】
そして、本発明の無線通信システムは、所望の無線通信方式により変調された無線信号を送受信する複数の端末局と、端末局と通信する基地局とをそなえ、端末局が、制御データと情報データとを含む送信すべきデータを生成して出力するデータ生成部と、多重数または変調方式に起因する、受信側における受信電界強度の検出誤差の補正量を出力する補償用パラメータ生成部と、補償用パラメータ生成部から出力された補正量とデータ生成部から出力された送信すべきデータとを符号化して符号化データを出力するコーダ部と、コーダ部から出力された符号化データを無線周波数に変換して無線信号を出力する第１無線部とをそなえ、さらに、基地局が、無線信号を受信し、無線信号を周波数変換した受信主信号と、無線信号についての受信電界強度電圧とのうちの少なくとも一つを出力する第２無線部と、第２無線部から出力された受信主信号に起因するベースバンド信号を出力するデコード部と、第２無線部から出力された受信電界強度電圧に起因する受信電界強度データと補正量とを出力する補償用パラメータ出力部と、補償用パラメータ出力部から出力された受信電界強度データと補正量とに基づいて補正受信電界強度データを出力する補正部と、デコード部から出力されたベースバンド信号と、補正部から出力された補正受信電界強度データとに基づいて復調データを出力するデータ復調部とをそなえて構成されたことを特徴としている。
【００３３】
加えて、本発明の受信電界強度補償方法は、所望の無線通信方式により変調された無線信号を送受信する複数の端末局と、端末局と通信する基地局とをそなえた無線通信システムにおいて、端末局が、１又は複数の送信チャネルごとに送信すべきデータを変調する変調ステップと、端末局が、基地局に対して、多重数または変調方式に起因する、受信側における受信電界強度の検出誤差の補正量を取得する補償用パラメータ取得ステップと、端末局が、変調ステップにて変調された送信すべきデータと補償用パラメータ取得ステップにて取得された補正量とを符号化して符号化データを送信する送信ステップとをそなえて構成されたことを特徴としている。
【００３４】
また、本発明の受信電界強度補償方法は、所望の無線通信方式により変調された無線信号を送受信する複数の端末局と、端末局と通信する基地局とをそなえた無線通信システムにおいて、基地局が、多重数または変調方式に起因する、受信側における受信電界強度の検出誤差の補正量を有する無線信号を受信する受信ステップと、基地局が、受信ステップにて受信された無線信号の受信電界強度を検出する検出ステップと、基地局が、受信ステップにて受信された無線信号に含まれる補正量と検出ステップにて検出された受信電界強度とに基づいて、受信電界強度の検出誤差を補正する補正ステップとをそなえて構成されたことを特徴としている。
【００３５】
【発明の実施の形態】
以下、図面を参照して本発明の実施の形態を説明する。
（Ａ）本発明の第１実施形態の説明
図１は本発明の第１実施形態に係る無線通信システムの構成図である。この図１に示す無線通信システム３（以下、システム３と称することがある。）は、符号分割多元接続通信方式（ＣＤＭＡ方式）を用いたものであって、システムの一例として携帯電話サービスに用いられるものである。このシステム３は、符号分割多重された無線信号（以下、ＲＦ信号［Radio Frequency信号］と称することがある。）を送受信する複数の端末局１と、これらの端末局１と通信する基地局２とをそなえて構成されている。そして、基地局２と各端末局１とのそれぞれとの間においては、相互に異なる符号が割り当てられ、多元接続できるようになっている。すなわち、ＲＦ信号が、ＣＤＭＡ方式により変調されて送受信されている。
【００３６】
ここで、各端末局１は、それぞれ、基地局２に対して、音声又はファイルデータなどの情報データと制御データとからなる送信すべきデータとともに、ＲＳＳＩ（受信電界強度）を補正するための補正パラメータ（以下、補償用パラメータと称することがある。）を送信する。そして、端末局１は、同一キャリアを使用して複数の送信チャネルを多重して、基地局２に送信するようになっている。
【００３７】
ここで、端末局１が、複数の送信チャネルを多重する態様の例は、端末局１が、他の端末局が送信したデータを中継して、基地局２に送信するような方法である。あるいは、端末局１が、送信すべきデータを複数に分割して、それらを多重して基地局２に送信するようにもできる。
また、基地局２は、各端末局１から送信された情報データ及び制御データのほかに、補償用パラメータを受信し、その補償用パラメータに基づいて、ＲＳＳＩを補正するようになっている。そして、この基地局２は、交換機能を有する交換局４ａと接続され、他の交換局（図示省略）を収容するネットワーク４ｂとデータ交換できるようになっている。
【００３８】
なお、端末局１ａ，１ｂと基地局２ａ，２ｂと無線システム３ａ，３ｂとは、それぞれ、後述する第１実施形態の変形例，第２実施形態及び第２実施形態の変形例（以下、他の実施形態などと略称することがある。）にて説明する。
図２は本発明の第１実施形態に係る端末局１の送信部のブロック図である。この図２に示す端末局１は、例えば携帯電話や携帯端末のような移動局であって、送信部（送信系）の要部は、主制御部１４ａと、ベースバンド部１５と、第１無線部１２ａと、アンテナ１１ａとをそなえて構成されている。
【００３９】
なお、端末局１は、送信部に加えて受信部（受信系）をも有し、図示を省略するが、受信部は、高周波数信号を受信処理する高周波数回路，その高周波数回路から出力された受信ベースバンド信号を処理する受信ベースバンド信号処理部，音声処理回路，スピーカなどを有する。これらは、公知なものなので詳細な説明を省略する。そして、後述する第１実施形態及び他の実施形態などの端末局１（１ａ，１ｂ）は、いずれも、その受信部を有する。以下、端末局１（後述する端末局１ａ，１ｂ）については、主に、送信部について説明する。
【００４０】
まず、主制御部１４ａは、ベースバンド部１５，第１無線部１２ａ及び端末局１が有する各ユニットを制御するものである。この機能は、例えばＣＰＵ（Central Processing Unit），ＲＯＭ（Read Only Memory），ＲＡＭ（Random Access Memory）などが協働したソフトウェアにより実現される。
また、ベースバンド部１５は、主制御部１４ａによる制御に従って、送信すべき信号（情報データ及び制御データ）を生成し、第１無線部１２ａに入力するために必要な論理演算（論理処理）を行なうものであって、データ生成部１７と、補償用パラメータ生成部５と、コーダ部（ＣＯＤＥＲ）１６と、変調部２５とをそなえて構成されている。また、ベースバンド部１５内の信号は、ディジタル信号であり、ベースバンド部１５の機能は、例えばＩＣ（Integrated Circuit），ＬＳＩ（Large Scale Integration）などによって実現される。
【００４１】
ここで、データ生成部１７は、制御データと情報データとを含む送信すべきデータを生成して出力するものである。このため、データ生成部１７は、図３に示すように、各端末局１のそれぞれについての送信すべきデータを生成する伝送データ生成部１７−１〜１７−ｎを有する。
また、補償用パラメータ生成部５（図２参照）は、信号波形の違いに起因して受信側（基地局２）におけるＲＳＳＩの検出誤差の補正（補償）のために使用される補償用パラメータを出力するものであって、多重数検出部１８と、第１補正メモリ１９とをそなえて構成されている。ここで、多重数検出部１８は、同一キャリアについての送信チャネル数を示す多重数を検出して出力するものであり、第１補正メモリ１９は、多重数検出部１８から出力された多重数に対応する電界強度補正量（以下、補正量と略称することがある。）を補償用パラメータとして保持するものである。
【００４２】
すなわち、第１補正メモリ１９は、多重数と補正量とを対応付けて保持しており、多重数をアドレスとしてそのアドレス領域に保持されており、基地局２にて生じうるＲＳＳＩの検出誤差の補正量（ｄＢｍなど）は、主制御部１４ａによって読み出されるようになっている。なお、第１補正メモリ１９は、例えばＲＯＭ（Read Only Memory）によりその機能が実現され、後述する他のメモリも特に断らない限り、同様である。
【００４３】
これにより、基地局２におけるＲＳＳＩの補償用パラメータが、端末局１から送信され、基地局２は、その補償用パラメータに基づいて、多重数の違いによる信号波形の違いに起因して生じうるＲＳＳＩの検出誤差を補正することができる。
次に、多重数検出部１８における多重数の検出方法について、図３を用いて説明する。
【００４４】
図３は本発明の第１実施形態に係る多重数検出部１８及びデータ生成部１７のブロック図である。この図３に示す多重数検出部１８は、第１制御部２４とイネーブル数カウンタ３０とをそなえて構成されている。
ここで、第１制御部２４は、補償用パラメータ生成部５（図２参照）における補償用パラメータをコーダ部１６に入力するものである。具体的には、第１制御部２４は、多重数検出部１８における多重数を監視制御し、多重数をアドレスとして第１補正メモリ１９から多重数に基づく補正量を読み出し、補正量をコーダ部１６に入力するようになっている。これにより、通信状況に応じて補正量を制御できる。
【００４５】
そして、イネーブル数カウンタ３０は、同一キャリアについての送信チャネルのオン・オフを表すイネーブル信号の数をカウントするものであって、送信チャネルのフリップフロップ（保持部：ＦＦと表示されたもの）３１ａ〜３１ｄ，３０ｄと、ｎ進カウンタ（第１カウンタ：ｎは２以上の整数）３０ａと、デコーダ（アドレス出力部）３０ｂと、ｎ進カウンタ（第２カウンタ）３０ｃとをそなえて構成されている。
【００４６】
ここで、フリップフロップ３１ａ，３１ｂ，３１ｃ，・・・，３１ｄは、それぞれ、イネーブル信号を保持するものであり、伝送データ生成部１７−１，１７−２，１７−３，・・・，１７−ｎへのイネーブル信号をラッチしている。また、ｎ進カウンタ３０ａはイネーブル信号に対応するチャネル番号を出力するものであり、デコーダ３０ｂはｎ進カウンタ３０ａから出力されたチャネル番号に対応する複数のフリップフロップ３１ａ〜３１ｄのアドレスを出力するものであり、さらに、ｎ進カウンタ３０ｃは複数のフリップフロップ３１ａ〜３１ｄのそれぞれに保持されたイネーブル信号の数をカウントするものである。
【００４７】
これにより、ｎ進カウンタ３０ａのカウント値が順次デコードされ、フリップフロップ３１ａ〜３１ｄのうちの送信チャネル以外のものについてディセーブル信号（動作停止信号）が順次生成され、そのディセーブルにされたフリップフロップ３１ａ〜３１ｄ以外のフリップフロップの数だけ、ｎ進カウンタ３０ｃが、順次、カウントアップするようになっている。
【００４８】
そして、ｎ進カウンタ３０ａのカウント周期（１〜ｎ）が終了すると、キャリーアウト信号により、そのときのｎ進カウンタ３０ｃのカウント値（イネーブル信号数）が送信チャネル多重数として出力されるのである。なお、このとき、ｎ進カウンタ３０ｃは、キャリーアウト信号によりリセットされる。
これにより、チャネルごとに有するデータ生成部１７のイネーブル信号１〜ｎは、すべて一個のｎ進カウンタ３０ａにてスキャンされるとともに、別のｎ進カウンタ３０ｃにてイネーブルオンとなっているイネーブル信号の数がカウントされる。
【００４９】
すなわち、イネーブル数カウンタ３０が、伝送データ生成部１７−１〜１７−ｎのイネーブル信号数をカウントすることによって同一キャリアの送信チャネル多重数が検出されるのである。
従って、イネーブル信号数のカウントを高速化することができる。さらに、イネーブル信号数のカウント動作が不要となり、多重数検出の高速化を図ることができる。
【００５０】
なお、この図３に示す構成は、後述する他の実施形態などにおいても、使用することができる。
続いて、コーダ部１６（図２参照）は、補償用パラメータ生成部５から出力された補償用パラメータとデータ生成部１７から出力された送信すべきデータとを符号化（コーディング）して符号化データ（コーディングデータ）を出力するものである。また、コーダ部１６は、自局と他局とを識別する符号を用いて符号化するようになっている。
【００５１】
さらに詳述すると、コーダ部１６は、データ生成部１７にて生成された基地局２宛の送信すべきデータを、端末局１に割り当てられている拡散符号を用いて符号化するようになっている。これにより、加入者を増加させることができる。
なお、コーダ部１６は、基地局２から送信されたＲＦ信号に含まれるコーディングデータを処理するデコード部（図示省略）とともに、コーデック部として設けられている。
【００５２】
これにより、データ生成部１７にて、送信すべきデータが生成され、多重数検出部１８にて、データ生成部１７における多重数が検出される。そして、第１制御部２４によって、第１補正メモリ１９から、その多重数に基づく補正量が読み出され、その補正量がコーダ部１６に入力される。さらに、コーダ部１６にて、その補正量とデータ生成部１７から出力された送信すべきデータとが、チャネルコーディングされてコーディングデータが、変調部２５に入力されるのである。
【００５３】
さらに、変調部２５は、コーダ部１６からの出力（拡散後の送信すべき信号、送信多重信号）をＱＰＳＫ（Quadrature Phase Shift Keying）を用いて一次変調して中間周波数信号（以下、ＩＦ信号［Intermediate Frequency信号］と称することがある。）を出力するものである。
また、第１無線部１２ａは、コーダ部１６から出力された符号化データを無線周波数に変換してＲＦ信号を出力するものである。この第１無線部１２ａは、例えば高周波回路により実現されており、基地局２から送信されたＲＦ信号を受信し、周波数変換してＩＦ信号を出力するようにもなっている。以下、受信の流れについての詳細な説明を省略する。
【００５４】
さらに、アンテナ１１ａは、第１無線部１２ａから出力されたＲＦ信号を伝送路へ電波として送出するものである。なお、このアンテナ１１ａは、ＲＦ信号を受信する機能をも有する。
これにより、コーダ部１６から出力されたコーディングデータが、変調部２５にて一次変調され、ＩＦ信号が出力される。そのＩＦ信号は第１無線部１２ａにてＲＦ信号にアップコンバートされるとともにレベル増幅され、そして、アンテナ１１ａから送信されるのである。
【００５５】
また、本発明の受信電界強度補償方法は、ＣＤＭＡ方式により変調されたＲＦ信号を送受信する複数の端末局１と、端末局１と通信する基地局２とをそなえた無線通信システム３において行なわれる。
まず、端末局１が、１又は複数の送信チャネルごとに送信すべきデータを変調する（変調ステップ）。
【００５６】
また、端末局１が、基地局２に対して、信号波形の違いに起因して受信側におけるＲＳＳＩの検出誤差の補正のために使用される補償用パラメータを取得する（補償用パラメータ取得ステップ）。
そして、端末局１が、変調ステップにて変調された送信すべきデータと補償用パラメータ取得ステップにて取得された補償用パラメータとを符号化して符号化データを送信する（送信ステップ）。
【００５７】
これにより、端末局１及び基地局２の簡素化が図れるとともに、ＲＳＳＩの検出精度を向上させることができる。
ここで、端末局１から基地局２に送信されるフレームは、例えば図６に示すようになる。図６は送信フレームのフォーマット例を示す図であり、この図６に示すフレーム４１は、同期信号（ＴＦＣＩ）部４１ａ，データ信号部（ＤＡＴＡ１，ＤＡＴＡ２）４１ｂ，４１ｄ，パイロット信号部４１ｃ及びＣＲＣ（Cyclic Redundancy Check）信号部４１ｅからなり、コーダ部１６は、データ信号部４１ｂ又は４１ｄ（もしくは、その両方）に上記の補正量を挿入することにより、上記の機能を実現する。
【００５８】
そして、基地局２は、複数の端末局１のそれぞれから送信されたフレーム（図６参照）を有するＲＦ信号を受信し、各端末局１のそれぞれに割り当てた拡散符号に基づいて、各端末局１を識別するのである。次に、図４を参照して、基地局２の受信の流れについて説明する。
図４は本発明の第１実施形態に係る基地局２の受信部のブロック図である。この図４に示す基地局２は固定局であって、基地局２の受信部の要部は、主制御部１４ｂと、アンテナ１１ｂと、第２無線部１２ｂと、ベースバンド部３６とをそなえて構成されている。
【００５９】
なお、基地局２は、受信部に加えて送信部（送信系）をも有し、送信部は、図示を省略するが、マイク，音声処理回路，音声処理回路から出力された送信ベースバンド信号を処理する送信ベースバンド信号処理部，送信ベースバンド信号処理から出力されたＩＦ信号を無線送信する高周波数回路などを有する。これらは、公知なものなので詳細な説明を省略する。そして、後述する他の実施形態などの基地局２（２ａ，２ｂ）も、いずれも、その送信部を有する。以下、基地局２については、主に、受信部について説明する。
【００６０】
まず、主制御部１４ｂは、ベースバンド部３６，第２無線部１２ｂ及び基地局２が有する各ユニットを制御するものであり、アンテナ１１ｂは、ＲＦ信号を送受信するものである。
そして、第２無線部１２ｂは、信号波形の違いに起因して受信側におけるＲＳＳＩの検出誤差の補正のために使用される補償用パラメータと、送信されたデータとを含むＲＦ信号を受信し、ＲＦ信号を周波数変換した受信主信号と、そのＲＦ信号についてのＲＳＳＩ電圧とを出力するものである。
【００６１】
また、この第２無線部１２ｂは、符号分割多重されたＲＦ信号を受信し、受信主信号とＲＳＳＩ電圧とを出力するようになっている。この第２無線部１２ｂの受信部について図５を用いてさらに詳述する。
図５は本発明の第１実施形態に係る第２無線部１２ｂの受信部のブロック図である。この図５に示す第２無線部１２ｂは、バンドパスフィルタ（ＢＰＦ）３２ａ，３２ｅ，ローノイズアンプ（ＬＮＡ）３２ｂ，ミキサ（ＭＩＸ）３２ｃ、３２ｆ，局部発振器（Ｌｏ）３２ｄ，３２ｇ，ローパスフィルタ（ＬＰＦ）３２ｈ，アナログ／ディジタル（Ａ／Ｄ）変換器３２ｉ，３２ｊ及び受信電界強度検出部（ＲＳＳＩ検出部）３２ｋをそなえて構成されている。
【００６２】
ここで、ＢＰＦ３２ａは、アンテナ１１ｂにて受信された端末局１から送信された符号多重信号のうちの所望の周波数成分のみを通過させ、受信信号の雑音などの不要成分を除去するためのものであり、ＬＮＡ３２ｂは、このＢＰＦ３２ａの出力を低雑音で所望のレベルに増幅するものである。また、ミキサ３２ｃは、ＬＮＡ３２ｂの出力と局部発振器３２ｄの出力とをミキシングすることにより、ＲＦ信号をＩＦ信号にダウンコンバートするものであり、ＢＰＦ３２ｅは、ダウンコンバート後の受信信号のうちの所望の周波数成分のみを通過させ、雑音などの不要成分を除去するものである。
【００６３】
さらに、ミキサ３２ｆは、ＢＰＦ３２ａの出力と局部発振器３２ｄの出力とをミキシングすることにより、ＩＦ信号をベースバンド信号にダウンコンバートするものであり、ＬＰＦ３２ｈは、このダウンコンバート後のＩＦ信号のうちの所望の周波数成分のみを通過させ、雑音などの不要成分を除去するものである。そして、Ａ／Ｄ変換器３２ｉは、このＬＰＦ３２ｈの出力（アナログ信号）をディジタル信号に変換するもので、ディジタル信号に変換されたベースバンド信号は受信主信号として、ベースバンド部３６が有するデコード部２０（後述）へ出力される。
【００６４】
また、ＲＳＳＩ検出部３２ｋ（図４参照）は、入力電圧と出力電圧とが所望の特性を有する増幅器を用いてＲＳＳＩ電圧を出力するものであり、具体的には、対数増幅器（図１５参照）が用いられている。そして、ミキサ３２ｆ（図５参照）によるダウンコンバート後の受信信号（ＩＦ信号）を入力として、その入力信号からＲＳＳＩ電圧を検出するようになっている。これにより、ＲＳＳＩ検出部３２ｋの対数増幅器の入出力特性（図１３など参照）により生ずる多重数の違いによる検出誤差が補償される。また、既存の回路部品を流用することができ、部品の汎用性を維持することができる。
【００６５】
さらに、Ａ／Ｄ変換器３２ｊは、このＲＳＳＩ検出部３２ｋにて検出されたアナログのＲＳＳＩ電圧（出力ＲＳＳＩ電圧値）をディジタル値に変換するもので、このディジタル値は、ベースバンド部３６が有するデータ復調部２１（後述）へ出力される。
従って、第２無線部１２ｂは、ベースバンド部３６に対して、ＲＦ信号を周波数変換した受信主信号をディジタルデータとして出力するとともに、そのＲＦ信号についてのＲＳＳＩ電圧をディジタルデータとして出力するようになっている。
【００６６】
次に、図４において、ベースバンド部３６は、主制御部１４ｂによる制御に従って第２無線部１２ｂから出力されるベースバンド信号に必要な論理演算を行なうものであって、デコード部（ＤＥＣＯＤＥＲ）２０と、補償用パラメータ出力部６と、補正部（受信電界強度補正部）２３と、データ復調部２１とをそなえて構成されている。
【００６７】
このデコード部２０は、第２無線部１２ｂから出力された受信主信号に起因するベースバンド信号を出力するものである。
また、補償用パラメータ出力部６は、第２無線部１２ｂから出力されたＲＳＳＩ電圧に起因する受信電界強度データと補償用パラメータとを出力するものであって、推定メモリ（一次推定メモリ）２２と、第１補正量出力部（補正量受信部）２６ａと、メモリ制御部３７とをそなえて構成されている。
【００６８】
ここで、推定メモリ２２は、第２無線部１２ｂから出力されたＲＳＳＩ電圧に対応する受信電界強度データを保持するものである。この受信電界強度データは、例えば電圧のディジタル値である。そして、基準波に基づくＲＳＳＩと入力電圧とが、相互に関係づけられて予め保持されている。この基準波は、例えば拡散されたＣＤＭＡ波であり、また、その実効値は所定値が用いられ、ＲＳＳＩが一次推定されるのである。
【００６９】
また、この推定メモリ２２は、ＲＳＳＩ電圧について、所定の特性を有する基準波に基づくオフセット値を考慮して受信電界強度データを保持するようになっている。これにより、特別な演算を不要とでき、ＲＳＳＩの検出誤差を補正することができ、また、回路規模を小型化できる。
また、第１補正量出力部２６ａは、受信主信号から、同一キャリアについての送信チャネル数を示す多重数に対応する補正量を補償用パラメータとして出力するものである。この第１補正量出力部２６ａは、受信主信号から、補正量を抽出して出力する電界強度補正量抽出部として構成されている。
【００７０】
さらに、メモリ制御部３７は、ＲＳＳＩ電圧に基づいて推定メモリ２２から受信電界強度データを読み出して補正部２３に入力するものである。
これにより、補償用パラメータ出力部６は、補正部２３に対して、推定メモリ２２にて一次推定された受信電界強度データと、第１補正量出力部２６ａから出力された補正量とを、それぞれ、入力するようになっている。また、これにより、やはり、ＲＳＳＩの検出精度が高くなる。
【００７１】
次に、補正部２３は、補償用パラメータ出力部６から出力された受信電界強度データと補償用パラメータとに基づいて補正受信電界強度データを出力するものである。さらに、データ復調部２１は、デコード部２０から出力されたベースバンド信号と、補正部２３から出力された補正受信電界強度データとに基づいて復調データを出力するものである。
【００７２】
これにより、本発明の受信電界強度補償方法は、まず、基地局２が、信号波形の違いに起因して受信側（基地局２）におけるＲＳＳＩの検出誤差の補正のために使用される補償用パラメータを有するＲＦ信号を受信する（受信ステップ）。次に、基地局２が、受信ステップにて受信されたＲＦ信号のＲＳＳＩを検出する（検出ステップ）。
【００７３】
そして、基地局２が、受信ステップにて受信されたＲＦ信号に含まれる補償用パラメータと検出ステップにて検出されたＲＳＳＩとに基づいて、ＲＳＳＩの検出誤差を補正するのである（補正ステップ）。
従って、端末局１の多重数や、変調方式にかかわらず、ＲＳＳＩの検出誤差を改善できる。
【００７４】
さらに詳述すると、基地局２における受信の流れは、アンテナ１１ｂにて伝送路からのＲＦ信号を受信し、第２無線部１２ｂがそのＲＦ信号をベースバンド信号へ周波数変換し、ベースバンド部３６が主制御部１４ｂの制御に従って受信に必要な論理処理を行なう。
また、第２無線部１２ｂのＲＳＳＩ検出部３２ｋは、対数増幅器を用いて、ＲＳＳＩをＲＳＳＩ電圧に変換し、そのＲＳＳＩ電圧を、データ復調部２１とデコード部２０とのそれぞれに入力する。そして、第１補正量出力部２６ａが、受信主信号から、多重数に対応する補正量を受信し、その補正量を補償用パラメータとして補正部２３に入力する。すなわち、デコード部２０にてＲＳＳＩ電圧と受信データとが分離される。
【００７５】
さらに、推定メモリ２２が、第２無線部１２ｂから出力されたＲＳＳＩ電圧に基づいて、ＲＳＳＩを一次推定し、メモリ制御部３７がそのＲＳＳＩ電圧に対応する受信電界強度データを読み出し、その受信電界強度データを補正部２３に入力する。そして、補正部２３が、一次推定されたＲＳＳＩと、補正量とのそれぞれに基づいてＲＳＳＩを補正するのである。
【００７６】
このように、端末局１からセクタ（無線通信ゾーンを分割して得た領域）ごとの情報として、その端末局１の送信チャネル多重数が、基地局２に報知され、基地局２にて対数増幅器の出力電圧が補正される。
また、本発明の無線通信システム３（図１参照）は、符号分割多重されたＲＦ信号を送受信する複数の端末局１と、端末局１と通信する基地局２とをそなえている。そして、端末局１は、制御データと情報データとを含む送信すべきデータを生成して出力するデータ生成部１７と、信号波形の違いに起因して受信側におけるＲＳＳＩの検出誤差の補正のために使用される補償用パラメータを出力する補償用パラメータ生成部５と、補償用パラメータ生成部５から出力された補償用パラメータとデータ生成部１７から出力された送信すべきデータとを符号化して符号化データを出力するコーダ部１６と、コーダ部１６から出力された符号化データを無線周波数に変換してＲＦ信号を出力する第１無線部１２ａとをそなえている。
【００７７】
さらに、基地局２は、ＲＦ信号を受信し、ＲＦ信号を周波数変換した受信主信号と、そのＲＦ信号についてのＲＳＳＩ電圧とを出力する第２無線部１２ｂと、第２無線部１２ｂから出力された受信主信号に起因するベースバンド信号を出力するデコード部２０と、第２無線部１２ｂから出力されたＲＳＳＩ電圧に起因する受信電界強度データと補償用パラメータとを出力する補償用パラメータ出力部６と、補償用パラメータ出力部６から出力された受信電界強度データと補償用パラメータとに基づいて補正受信電界強度データを出力する補正部２３と、デコード部２０から出力されたベースバンド信号と、補正部２３から出力された補正受信電界強度データとに基づいて復調データを出力するデータ復調部２１とをそなえている。
【００７８】
上述のごとく構成されたシステム３のＲＳＳＩの補正方法を、図２及び図３を参照しながら説明する。
まず、図２の端末局１のデータ生成部１７にて、送信チャネルごとに送信すべきデータが生成される。その送信すべきデータは、それぞれ、コーダ部１６において、予め各端末局１に割り当てられている拡散符号を用いて拡散され、そして、変調部２５を介して、符号多重されたＲＦ信号がアンテナ１１ａから送信される。
【００７９】
また、端末局１において、多重数検出部１８のイネーブル数カウンタ３０は、伝送データ生成部１７−１〜１７−ｎのイネーブル信号数をカウントし、多重数検出部１８は、送信しているチャネルの多重数を監視するとともに、その多重数を第１制御部２４に対して通知する。そして、第１制御部２４は、予め記憶しておいた送信チャネルの多重数に応じた補正量データを第１補正メモリ１９から読み出すとともに、補正量データを他の送信すべきデータとともに、チャネルコーディングするようにコーダ部１６を制御する。
【００８０】
さらに、主制御部１４ａは、ベースバンド部１５における論理処理と、第１無線部１２ａとをそれぞれ制御して、補正量データが重畳されたＲＦ信号を送信する。
一方、基地局２のＲＳＳＩ検出部３２ｋは、ＲＳＳＩをＲＳＳＩ電圧に変換し、そのＲＳＳＩ電圧をＡ／Ｄ変換してから、主制御部１４ｂへ通知する。主制御部１４ｂは、そのＲＳＳＩ電圧に応じたＲＳＳＩを推定メモリ２２から一次推定するとともに、デコード部２０においてフレーミングされた送信データを分離する。
【００８１】
また、主制御部１４ｂは、多重数による補正量を分離し、そして、補正部２３はその分離された補正量に基づいてＲＳＳＩを補正する。
このように、端末局１が基地局２に対して補正量を送信し、基地局２がその補正量を用いて、ＲＳＳＩの検出誤差を補正するので、基地局２におけるＲＳＳＩの検出精度が大幅に向上する。
【００８２】
また、このように、端末局１及び基地局２の送信電力が、いずれも、妥当な値に決定されるので、端末局１及び基地局２の低消費電力化でき、さらに、遠近問題による通信品質の低下を抑制でき、周波数利用効率の向上により収容できる端末局１の数の増加を図ることができる。
ところで、多重数検出部１８は、他の形態を用いることができ、一例として２種類（以下、第２の形態と第３の形態と称する。）のそれぞれについて、図７、図８を参照して説明する。
【００８３】
図７は本発明の第１実施形態に係る多重数検出部及びデータ生成部の第２のブロック図である。この図７に示す多重数検出部１８ａは、複数の送信チャネルを分割して得たチャネルグループごとにイネーブル数を出力するようになっている。この多重数検出部１８ａは、第１制御部２４，イネーブル数カウンタ３３ａ〜３３ｃ，加算器（Σ）３４，フリップフロップ（ＦＦ）３０ｄを有する。また、図７において、上述したものと同一の符号を有するものは同一のもの又は同様なものであるので、重複した説明を省略する。
【００８４】
ここで、イネーブル数カウンタ３３ａ〜３３ｃは、いずれも、同一キャリアについてのチャネルグループごとにイネーブル数をカウントするものである。すなわち、送信チャネル数ｎが例えば２チャネルごとに分割され、その分割された送信チャネルのそれぞれに対応する伝送データ生成部１７−１〜１７−ｎが設けられている。そして、それらのグループごとに、イネーブル数カウンタ３３ａ〜３３ｃにがイネーブル数をカウントするのである。
【００８５】
さらに、加算部３４は、イネーブル数カウンタ３３ａ〜３３ｃの出力（カウント結果）を加算するものであり、フリップフロップ３０ｄはこの加算部３４の出力を一時的に保持するものである。
これにより、多重数検出部１８ａにおいて、第１制御部２４から出力されたイネーブル数が、各イネーブル数カウンタ３３ａ〜３３ｃにてグループごとにカウントされるので、大幅に高速化でき、多重数の検出が短時間で完了できる。
【００８６】
また、これにより、イネーブル信号が複数のブロックに分割されて並行にカウントされ、最後にそのカウンタ出力が加算されるので、動作速度が高速化する。なお、この図７に示す多重数検出部１８ａは、後述する他の実施形態などにおいても使用することができる。
次に、第３の形態について説明する。
【００８７】
図８は本発明の第１実施形態に係る多重数検出部及びデータ生成部の第３のブロック図である。この図８に示す多重数検出部１８ｂは、出力用のフリップフロップ３０ｄの入力側に、多重数メモリ（アドレスＲＯＭ）３５が設けられている。また、図８においても、上述したものと同一の符号を有するものは同一のもの又は同様なものであるので、重複した説明を省略する。
【００８８】
この多重数メモリ３５は、データ生成部１７から出力される、同一キャリアについての送信チャネルのオン・オフを表すイネーブル信号の組み合わせからなるアドレスに基づく多重数を保持するものである。
そして、フリップフロップ３１ａ〜３１ｄにて、第１制御部２４から出力されるイネーブル信号のそれぞれが、例えば１ビット情報として保持され、多重数メモリ３５にて各フリップフロップ３１ａ〜３１ｄのｎビットがリードアドレス信号として入力され、そのリードアドレス信号に応じたアドレス領域から、予め記憶した多重数が読み出されるのである。
【００８９】
例えばｎ＝３の場合は、多重数メモリ３５のアドレス″００１″,″０１０″,″１００″の各領域には多重数″１″、アドレス″０１１″,″１１０″の各領域には多重数″２″、アドレス″１１１″の領域には多重数″３″が、それぞれ、予め記憶されている。すなわち、ｎビットのアドレスのうちの″１″の数が多重数を表すのである。
【００９０】
そして、例えば、伝送データ生成部１７−１，１７−３の２種類のみにイネーブル信号が供給されると、フリップフロップ３１ａ，３１ｃの出力のみが″１″となって、リードアドレス信号は″１０１″となる。従って、多重数メモリ３５からは、アドレス″１０１″に記憶されている多重数″２″が読み出され、多重数として出力される。
【００９１】
なお、この図８に示す構成が、図７に示すグループごとのイネーブル数カウンタ３３ａ〜３３ｃにそれぞれ適用することにより、一層の高速化が可能となる。また、図８に示す多重数検出部１８ｂは、後述する他の実施形態などにおいても使用することができる。
このように、各伝送データ生成部１７−１〜１７−ｎへのｎ本のイネーブル信号が、直接、多重数メモリ３５のリードアドレスを示すので、イネーブル信号のカウントが不要となり、さらに、多重数の検出を短期間で完了できる。
【００９２】
（Ａ１）本発明の第１実施形態の変形例の説明
第１実施形態の変形例においては、端末局１ａが基地局２ａに対して、補償用パラメータとして、多重数を送信するようにしている。また、変形例における無線通信システム３ａも、図１に示すシステム３と同様である。
図９は本発明の第１実施形態の変形例に係る端末局１ａの送信部のブロック図である。この図９に示す端末局１ａは、符号分割多元接続通信方式を用いた携帯電話などであって、主制御部１４ａと、ベースバンド部１５ａと、第１無線部１２ａと、アンテナ１１ａとをそなえて構成されている。
【００９３】
このベースバンド部１５ａは、主制御部１４ａによる制御に従って送信すべき信号（情報データ及び制御データ）を生成して第１無線部１２ａに入力するために必要な論理演算を行なうものであって、データ生成部１７と、補償用パラメータ生成部５ａと、コーダ部１６と、変調部２５とをそなえて構成されている。
ここで、補償用パラメータ生成部５ａは、同一キャリアについての送信チャネル数を示す多重数を検出し多重数を補償用パラメータとして出力する多重数検出部１８を有する。
【００９４】
また、第１制御部２４は、補償用パラメータ生成部５ａにおける補償用パラメータをコーダ部１６に入力するものである。具体的には、第１制御部２４は、多重数検出部１８における多重数をコーダ部１６に入力するようになっている。これにより、通信状況に応じて補正量を制御できる。
なお、上述したものと同一の符号を有するものは同一のもの又は同様な機能を有するものなので、更なる説明を省略する。
【００９５】
これにより、コーダ部１６は、多重数検出部１８から出力された多重数とデータ生成部１７から出力された送信すべきデータとが、チャネルコーディングされてコーディングデータが出力され、第１無線部１２ａから、ＲＦ信号として送信されるのである。
次に、図１０は本発明の第１実施形態の変形例に係る基地局２ａの受信部のブロック図である。この図１０に示す基地局２ａ内の受信部の要部は、アンテナ１１ｂと、第２無線部１２ｂと、ベースバンド部３６ａと、主制御部１４ｂとをそなえて構成されている。なお、上述したものと同一の符号を有するものは同一のもの又は同様な機能を有するものなので、更なる説明を省略する。
【００９６】
ここで、ベースバンド部３６ａは、主制御部１４ｂによる制御に従って第２無線部１２ｂから出力されるベースバンド信号に必要な論理演算を行なうものであって、デコード部２０と、補償用パラメータ出力部６ａと、補正部（受信電界強度補正部）２３と、データ復調部２１とをそなえて構成されている。
この補償用パラメータ出力部６ａは、第２無線部１２ｂから出力されたＲＳＳＩ電圧に起因する受信電界強度データと補償用パラメータとを出力するものであって、推定メモリ２２と、多重数受信部（多重数検出部、受信と表示されているもの）２６ｂと、メモリ制御部３７と、第２補正量出力部（第２補正メモリ）３８とをそなえて構成されている。
【００９７】
この推定メモリ２２は、第２無線部１２ｂから出力されたＲＳＳＩ電圧に対応する受信電界強度データを保持するものである。また、多重数受信部２６ｂは、受信主信号から、同一キャリアについての送信チャネル数を示す多重数を出力するものである。
さらに、第２補正量出力部３８は、多重数受信部２６ｂから出力された多重数に対応する補正量を補償用パラメータとして出力するものである。この第２補正量出力部３８は、多重数に対応する補正量を保持する第２補正メモリ３８ａにより構成されている。
【００９８】
この、第２補正メモリ部３８ａと推定メモリ２２とは共通化されていてもよく、このようにすれば、端末局１ａの小型化を図ることが可能である。
これにより、多重数受信部２６ｂにて、受信主信号から多重数が出力され、第２補正量出力部３８（第２補正メモリ３８ａ）にて、多重数受信部２６ｂから出力された多重数に対応する補正量が補償用パラメータとして、補正部２３に入力される。
【００９９】
また、これにより、補償用パラメータ出力部６ａは、補正部２３に対して、推定メモリ２２にて一次推定された受信電界強度データと、第２補正量出力部３８から出力された多重数が、補正量に変換されて、それぞれ、入力されるのである。
このような構成によって、端末局１ａのいずれかは、基地局２ａに対して、多重数と送信されたデータとを含むＲＦ信号を符号多重して送信する。そして、ＲＦ信号は、基地局２ａにおいて、第２無線部１２ｂにてベースバンド信号へ周波数変換され、ベースバンド部３６ａにて主制御部１４ｂの制御に従って受信に必要な論理処理が行なわれる。
【０１００】
また、多重数受信部２６ｂによりデコード部２０から多重数が読み出され、読み出された多重数が、第２補正メモリ３８ａに入力される。
一方、第２無線部１２ｂのＲＳＳＩ検出部３２ｋから出力されるＲＳＳＩ電圧は、メモリ制御部３７によって、推定メモリ２２から、ＲＳＳＩが一次推定され、その保持されたデータが、補正部２３に入力され、補正部２３にて、デコード部２０から読み出された補正畳とによってＲＳＳＩの補正が行なわれる。
【０１０１】
これにより、ＲＳＳＩ検出部２３の対数増幅器が有する、受信主信号の多重数の違いによって生じるＲＳＳＩの検出誤差が補償される。
そして、このように、端末局１ａの省電力化，簡素化を図りながら、基地局２ａにおけるＲＳＳＩの検出精度を向上させることができる。
（Ｂ）本発明の第２実施形態の説明
第２実施形態における無線通信システム３ｂ（図１参照）は、ＣＤＭＡ方式を用いたものであって、複数の変調方式に対応したものである。また、システム３ｂの一例は携帯電話サービスであって、複数種類の変調方式に対応した基地局２ｂと、この基地局２ｂの無線通信ゾーン内にて基地局２ｂの対応している変調方式のうちの所望の変調方式を用いて基地局２ｂと通信する端末局１ｂとをそなえて構成されている。
【０１０２】
ここで、基地局２ｂは、端末局１ｂから送信された情報データ，制御データのほかに、補償用パラメータを受信し、その補償用パラメータに基づいて、ＲＳＳＩを補正するようになっている。そして、この基地局２ｂは、交換機能を有する交換局４ａに収容されネットワーク４ｂとのデータ交換が可能になっている。
また、端末局１ｂは、基地局２ｂに対して、音声又はファイルデータなどの情報データと制御データとからなる送信すべきデータとともに、変調パラメータを送信するものである。端末局１ｂの機能は、例えばソフトウェア無線機により実現される。
【０１０３】
図１１は本発明の第２実施形態に係る端末局１ｂの送信部のブロック図である。この図１１に示す端末局１ｂは、例えば携帯電話などであって、アンテナ１１ａと、第１無線部１２ａと、ベースバンド部３６ｂと、主制御部１４ａとをそなえて構成されている。
ここで、ベースバンド部３６ｂは、主制御部１４ａによる制御に従って送信すべき信号を生成して第１無線部１２ａに入力するために必要な論理演算を行なうものであって、データ生成部１７と、補償用パラメータ生成部５ｂと、コーダ部１６と、変調部２５とをそなえて構成されている。
【０１０４】
ここで、補償用パラメータ生成部５ｂは、変調方式に応じたインターセプトファクタとインターセプトファクタに応じた補正量とを出力するものであって、インターセプトファクタ決定部（決定と表示されているもの）４０ａと、メモリ４０ｂとをそなえて構成されている。なお、インターセプトファクタとは、システム仕様を設計するときの統計的パラメータであって、具体的には、変調方式に相当する。
【０１０５】
このインタセプトファクタ決定部４０ａは、変調方式に応じたインタセプトファクタを決定するもので、決定したインタセプトファクタに応じたメモリ４０ｂのリードアドレスが生成されるようになっている。
また、メモリ４０ｂは、インターセプトファクタ決定部４０ａが決定したインタセプトファクタに対応する補正量を補償用パラメータとして保持するものである。インタセプトファクタの違い（変調方式の違い）ごとに、補正量をテーブル形式の情報として保持するものである。そして、インタセプトファクタ決定部４０ａから出力されたリードアドレスにより、補正量が読み出されて、コーダ部１６に入力されるようになっている。
【０１０６】
すなわち、補償用パラメータ生成部５ｂは、基地局２ｂの変調方式による信号波形の違いに起因して端末局１ｂにて生じうるＲＳＳＩの検出誤差を補正するのに必要な補償用パラメータとして、変調方式に関する情報を生成するのである。この情報は、変調方式（インタセプトファクタ）に応じた補正量を意味する。従って、マルチモード対応の端末局１ｂをサポートできる。
【０１０７】
なお、これら以外のもので、上述したものと同一の符号を有するものは同一のもの又は同様の機能を有するものなので、重複した説明を省略する。
これにより、端末局１ｂにおいて変調方式に応じたインターセプトファクタ又はインターセプトファクタに応じた補正量が送信すべきデータに重畳され、そのデータが送信される。
【０１０８】
一方、基地局２ｂにおいて、変調方式に応じた補正量を出力する補正テーブル用メモリを備え受信したインターセプトファクタに応じた補正量によって、検出したＲＳＳＩが補正されるのである。
図１２は本発明の第２実施形態に係る基地局２ｂの送信部のブロック図である。この図１２に示す基地局２ｂ内の送信部の要部は、アンテナ１１ｂと、第２無線部１２ｂと、ベースバンド部３６ｂと、主制御部１４ｂとをそなえて構成されている。
【０１０９】
ここで、ベースバンド部３６ｂは、主制御部１４ｂによる制御に従って第２無線部１２ｂから出力されるベースバンド信号に必要な論理演算を行なうものであって、デコード部２０と、補償用パラメータ出力部６ｂと、補正部（受信電界強度補正部）２３と、データ復調部２１とをそなえて構成されている。
そして、この補償用パラメータ出力部６ｂは、推定メモリ２２と、変調パラメータ出力部（出力と表示されているもの）２１ｃと、第３補正量出力部３９（第３補正メモリ３９ａ）とをそなえて構成されている。ここで、変調パラメータ出力部２１ｃは、受信主信号から、変調方式を表す変調パラメータを出力するものである。
【０１１０】
また、第３補正量出力部３９は、変調パラメータ出力部２１ｃから出力された変調パラメータに対応する補正量を補償用パラメータとして出力するものである。この第３補正量出力部３９は、変調パラメータに対応する補正量を保持する第３補正メモリ３９ａにより構成されている。
従って、端末局１ｂの簡素化と省電力化とを図りながら、基地局２ｂにおけるＲＳＳＩの検出精度を向上させることができる。
【０１１１】
なお、これら以外のもので、上述したものと同一の符号を有するものは同一のもの又は同様の機能を有するものなので、重複した説明を省略する。
このような構成により、まず、端末局１ｂは、第１の変調方式を用いて基地局２ｂと通信し、その後、第１の変調方式とは異なる第２の変調方式に変更して基地局２ｂと通信し、送信すべきデータを送信する。
【０１１２】
また、端末局１ｂは、基地局２ｂに対して、変調方式（インタセプトファクタ）の違いに応じた補正量を通知し、基地局２ｂがＲＳＳＩの検出誤差を補正する。基地局２ｂは、使用する変調方式の違いによって、ＲＳＳＩの検出誤差が生じてもその誤差を補正できる。
さらに、端末局１ｂは、インタセプトファクタから補正量を計算して、その補正量のみを基地局２ｂへ通知するので、この場合も、基地局２ｂの簡素化，小型化が可能となる。
【０１１３】
従って、端末局１ｂが、ソフトウェア無線機であっても、ＲＳＳＩの検出精度を大幅に向上させることができ、例えば、違法無線機が送出する電波の有無をＲＳＳＩに基づいて高い精度で推定することが可能になる。これにより、例えば極めて高性能な違法無線機の取り締まりを行なえる。
（Ｂ１）第２実施形態の変形例の説明
第２実施形態の変形例においては、基地局２（２ａ，２ｂ）が受信した送信チャネル多重数に応じた補正量を出力する補正メモリ（第１補正メモリ１９，第２補正メモリ３８ａ及び第３補正メモリ３９ａなど）の代わりに、計算式を用いた演算によって補正する。すなわち、ＲＳＳＩを、所定演算によって得るのである。本変形例においても、ＣＤＭＡ方式を用いたシステム３ｂ（図１参照）が適用され、また、端末局１ｂ及び基地局２ｂがそれぞれ用いられる。
【０１１４】
ここで、図１２に示すメモリ制御部３７は、ＲＳＳＩに基づく所定の演算によって受信電界強度データを出力するようになっている。
なお、端末局１，１ａ（図２，図１０参照）を用いることも可能である。
そして、このような構成によって、まず、ＲＳＳＩ検出部３２ｋが、ＲＳＳＩをＲＳＳＩ電圧に変換し、そのＲＳＳＩ電圧がＡ／Ｄ変換されてから、主制御部１４ｂへ通知される。主制御部１４ｂは、そのＲＳＳＩ電圧に応じた受信電界強度（ＲＳＳＩ＃１）を推定メモリ２２から一次推定するとともに、デコード部２０において端末局１ｂから送信された同一キャリアにおける送信チャネル多重数ｎが分離される。また、主制御部１４ｂにおいて、求める受信電界強度（ＲＳＳＩ＃２）が、推定メモリ２２にて推定された（ＲＳＳＩ＃２）を用いて、次の（３）式により得られる。
【０１１５】
ＲＳＳＩ＃２＝ＲＳＳＩ＃１＋（Ａ＊ｎ＋Ｂ）                    …（３）
ここで、ｎは多重数受信部２６ｂにて受信された多重数を表し、また、Ａ，Ｂは、いずれも係数であり、＊は乗算を表す。
このように、ＲＳＳＩの補正が可能となり、送信チャネル多重数から演算により補正量が求められ、その補正量分だけＲＳＳＩを補正することで、送信チャネル多重数の違いに起因して生じるＲＳＳＩの検出誤差が補償される。
【０１１６】
従って、ＲＳＳＩ検出部３２ｋの出力電圧に応じたＲＳＳＩを推定するためのメモリが不要となり、また、補正量もメモリを用いる場合に比して精度よく得られるので、基地局２ｂの小型化を図りながら、送信チャネル多重数の違いに起因して生じるＲＳＳＩの検出誤差を高い精度に補償することが可能である。
（Ｃ）その他
本発明は上述した実施態様及びその変形例に限定されるものではなく、本発明の趣旨を逸脱しない範囲で、種々変形して実施することができる。
【０１１７】
上述したように、無線通信システム３（３ａ，３ｂ）は、ＣＤＭＡ方式を用いたものであるが、本発明は、例えばＧＳＭ（Global System for Mobile Communications）などにも適用可能である。また、拡散方法については、直接拡散のみならず、ＩＦ信号帯にて送信周波数を切り換える方式を用いることもできる。
さらに、変調回路については、データ生成部１７から出力されるベースバンド信号は、変調部２５にてＩＦ信号にされ、第１無線部１２ａにてＲＦ信号にアップコンバートされる態様のほか、データ生成部１７にて直接、アップコンバートするようにしてもよい。同様に、復調する際に、ＲＦ信号からダウンコンバードして直接、ベースバンド信号を得るようにしてもよい。
【０１１８】
また、受信電界強度補正部２３に入力される受信電界強度データは、電圧のディジタル値のほか、ポインタなどを使用することもできる。例えばデータ復調部２１，補正部２３に他のメモリを設けて、そのメモリへのポインタが、補正部２３に入力されるようにするのである。このような変形態様を用いても、本発明の優位性は何ら損なわれるものではない。
【０１１９】
第１補正量出力部２６ａは、受信主信号から、補正量を抽出して出力する電界強度補正量抽出部として構成されるほかに、例えば別の信号から電界強度補正量を抽出することもできる。
加えて、図３に示すイネーブル数カウンタ３０は、上記の構成に限定されず、ｎ進カウンタ３０ａとデコーダ３０ｂとを併せたロジック回路を用いたり、ｎ進カウンタ３０ｃとフリップフロップ３０ｄとを併せることも可能である。
【０１２０】
さらに、各実施形態及びその変形例においては、端末局１（１ａ，１ｂ）から基地局２（２ａ，２ｂ）に対して複数回数送信することができる。例えば、基地局２（２ａ，２ｂ）が、変調方式に関する情報を報知する場合は、変調方式の変更ごとに報知するようにする。また、送信チャネル多重数に応じた補正量，多重数については、多重数が頻繁に変化するので、タイマなどを用いて一定周期ごとに報知する。
【０１２１】
また、各実施形態にて説明したシステムは組み合わせて実施することも可能である。例えば、端末局１（１ａ，１ｂ）がＴＡＣＳ方式＋ＣＤＭＡ方式をサポートするマルチモード機能を有するようにし、ＴＡＣＳ方式とＣＤＭＡ方式とのそれぞれにて発生する信号波形の違いに起因して生じるＲＳＳＩの検出誤差と、ＣＤＭＡ方式における送信チャネル多重数の違いに起因して生じるＲＳＳＩの検出誤差とをそれぞれ補償することが可能になる。
【０１２２】
さらに、図６に示すフレームにおいて、補償用パラメータを挿入するための位置は、種々変更可能である。
図７において、データ生成部１７ａ，１７ｂ，１７ｃは、いずれも、データ生成部１７と同様なものであって、それぞれ、伝送データ生成部１７−１，１７−２と、伝送データ生成部１７−３，１７−４と、伝送データ生成部１７−（ｎ−１），１７−ｎとを有する。
【０１２３】
（Ｄ）付記
（付記１）  制御データと情報データとを含む送信すべきデータを生成して出力するデータ生成部と、
信号波形の違いに起因して受信側における受信電界強度の検出誤差の補正のために使用される補償用パラメータを出力する補償用パラメータ生成部と、
該補償用パラメータ生成部から出力された該補償用パラメータと該データ生成部から出力された該送信すべきデータとを符号化して符号化データを出力するコーダ部と、
該コーダ部から出力された該符号化データを無線周波数に変換して無線信号を出力する第１無線部とをそなえて構成されたことを特徴とする、無線通信システム用の端末局。
【０１２４】
（付記２）  該コーダ部が、
自局と他局とを識別する符号を用いて符号化するように構成されたことを特徴とする、付記１記載の無線通信システム用の端末局。
（付記３）  該補償用パラメータ生成部が、
同一キャリアについての送信チャネル数を示す多重数を検出して出力する多重数検出部と、
該多重数検出部から出力された該多重数に対応する電界強度補正量を該補償用パラメータとして保持する第１補正メモリとをそなえて構成されたことを特徴とする、付記２記載の無線通信システム用の端末局。
【０１２５】
（付記４）  該多重数検出部が、
該イネーブル信号を保持する複数の保持部と、
該イネーブル信号に対応するチャネル番号を出力する第１カウンタと、
該第１カウンタから出力された該チャネル番号に対応する該複数の保持部のアドレスを出力するアドレス出力部と、
該複数の保持部のそれぞれに保持された該イネーブル信号の数をカウントする第２カウンタとをそなえて構成されたことを特徴とする、付記３記載の無線通信システム用の端末局。
【０１２６】
（付記５）  該多重数検出部が、
複数の送信チャネルを分割して得たチャネルグループごとにイネーブル数を出力するように構成されたことを特徴とする、付記４記載の無線通信システム用の端末局。
（付記６）  該多重数検出部が、
該データ生成部から出力される、該同一キャリアについての送信チャネルのオン・オフを表すイネーブル信号の組み合わせからなるアドレスに基づく該多重数を保持する多重数メモリをそなえて構成されたことを特徴とする、付記２記載の無線通信システム用の端末局。
【０１２７】
（付記７）  該補償用パラメータ生成部が、
同一キャリアについての送信チャネル数を示す多重数を検出し該多重数を該補償用パラメータとして出力する多重数検出部をそなえて構成されたことを特徴とする、付記２記載の無線通信システム用の端末局。
（付記８）  該補償用パラメータ生成部における該補償用パラメータを該コーダ部に入力する第１制御部をそなえて構成されたことを特徴とする、付記１〜付記７のいずれか一に記載の無線通信システム用の端末局。
【０１２８】
（付記９）  該補償用パラメータ生成部が、
変調方式に応じたインタセプトファクタを決定するインタセプトファクタ決定部と、
該インターセプトファクタ決定部が決定した該インタセプトファクタに対応する電界強度補正量を該補償用パラメータとして保持するメモリとをそなえて構成されたことを特徴とする、無線通信システム用の端末局。
【０１２９】
（付記１０）  信号波形の違いに起因して受信側における受信電界強度の検出誤差の補正のために使用される補償用パラメータと、送信されたデータとを含む無線信号を受信し、該無線信号を周波数変換した受信主信号と、該無線信号についての受信電界強度電圧とのうちの少なくとも一つを出力する第２無線部と、
該第２無線部から出力された該受信主信号に起因するベースバンド信号を出力するデコード部と、
該第２無線部から出力された該受信電界強度電圧に起因する受信電界強度データと該補償用パラメータとを出力する補償用パラメータ出力部と、
該補償用パラメータ出力部から出力された該受信電界強度データと該補償用パラメータとに基づいて補正受信電界強度データを出力する補正部と、
該デコード部から出力された該ベースバンド信号と、該補正部から出力された補正受信電界強度データとに基づいて復調データを出力するデータ復調部とをそなえて構成されたことを特徴とする、無線通信システム用の基地局。
【０１３０】
（付記１１）  該第２無線部が、
符号分割多重された無線信号を受信し、該受信主信号と該受信電界強度電圧とのうちの少なくとも一つを出力するように構成されたことを特徴とする、付記１０記載の無線通信システム用の基地局。
（付記１２）  該補償用パラメータ出力部が、
該第２無線部から出力された該受信電界強度電圧に対応する受信電界強度データを保持する推定メモリと、
該受信主信号から、同一キャリアについての送信チャネル数を示す多重数に対応する電界強度補正量を該補償用パラメータとして出力する第１補正量出力部とをそなえて構成されたことを特徴とする、付記１１記載の無線通信システム用の基地局。
【０１３１】
（付記１３）  該第１補正量出力部が、
該受信主信号から、該電界強度補正量を抽出して出力する電界強度補正量抽出部として構成されたことを特徴とする、付記１２記載の無線通信システム用の基地局。
（付記１４）  該補償用パラメータ出力部が、
該第２無線部から出力された該受信電界強度電圧に対応する受信電界強度データを保持する推定メモリと、
該受信主信号から、同一キャリアについての送信チャネル数を示す多重数を出力する多重数受信部と、
該多重数受信部から出力された該多重数に対応する電界強度補正量を該補償用パラメータとして出力する第２補正量出力部とをそなえて構成されたことを特徴とする、付記１１記載の無線通信システム用の基地局。
【０１３２】
（付記１５）  該第２補正量出力部が、
該多重数に対応する該電界強度補正量を保持する第２補正メモリにより構成されたことを特徴とする、付記１４記載の無線通信システム用の基地局。
（付記１６）  該補償用パラメータ出力部が、
該第２無線部から出力された受信電界強度電圧に対応する受信電界強度データを保持する推定メモリと、
該受信主信号から、変調方式を表す変調パラメータを出力する変調パラメータ出力部と、
該変調パラメータ出力部から出力された該変調パラメータに対応する電界強度補正量を該補償用パラメータとして出力する第３補正量出力部とをそなえて構成されたことを特徴とする、付記１１記載の無線通信システム用の基地局。
【０１３３】
（付記１７）  該第３補正量出力部が、
該変調パラメータに対応する該電界強度補正量を保持する第３補正メモリにより構成されたことを特徴とする、付記１６記載の無線通信システム用の基地局。
（付記１８）  該補償用パラメータ出力部が、
該受信電界強度電圧に基づいて該推定メモリから該受信電界強度データを読み出して該補正部に入力するメモリ制御部をそなえて構成されたことを特徴とする、付記１０〜付記１７のいずれか一に記載の無線通信システム用の基地局。
【０１３４】
（付記１９）  該メモリ制御部が、
該受信電界強度に基づく所定の演算によって該受信電界強度データを出力するように構成されたことを特徴とする付記１８記載の無線通信システム用の基地局。
（付記２０）  該第２無線部が、
入力電圧と出力電圧とが所望の特性を有する増幅器を用いて該受信電界強度電圧を出力するように構成されたことを特徴とする、付記１０〜付記１９のいずれか一に記載の無線通信システム用の基地局。
【０１３５】
（付記２１）  該推定メモリが、
該受信電界強度電圧について、所定の特性を有する基準波に基づくオフセット値を考慮して該受信電界強度データを保持するように構成されたことを特徴とする、付記１０〜付記２０のいずれか一に記載の無線通信システム用の基地局。
（付記２２）  所望の無線通信方式により変調された無線信号を送受信する複数の端末局と、
該端末局と通信する基地局とをそなえ、
該端末局が、
制御データと情報データとを含む送信すべきデータを生成して出力するデータ生成部と、
信号波形の違いに起因して受信側における受信電界強度の検出誤差の補正のために使用される補償用パラメータを出力する補償用パラメータ生成部と、
該補償用パラメータ生成部から出力された該補償用パラメータと該データ生成部から出力された該送信すべきデータとを符号化して符号化データを出力するコーダ部と、
該コーダ部から出力された該符号化データを無線周波数に変換して該無線信号を出力する第１無線部とをそなえ、
さらに、
該基地局が、
該無線信号を受信し、該無線信号を周波数変換した受信主信号と、該無線信号についての受信電界強度電圧とのうちの少なくとも一つを出力する第２無線部と、
該第２無線部から出力された該受信主信号に起因するベースバンド信号を出力するデコード部と、
該第２無線部から出力された該受信電界強度電圧に起因する受信電界強度データと該補償用パラメータとを出力する補償用パラメータ出力部と、
該補償用パラメータ出力部から出力された該受信電界強度データと該補償用パラメータとに基づいて補正受信電界強度データを出力する補正部と、
該デコード部から出力された該ベースバンド信号と、該補正部から出力された補正受信電界強度データとに基づいて復調データを出力するデータ復調部とをそなえて構成されたことを特徴とする、無線通信システム。
【０１３６】
（付記２３）  所望の無線通信方式により変調された無線信号を送受信する複数の端末局と、該端末局と通信する基地局とをそなえた無線通信システムにおいて、
該端末局が、１又は複数の送信チャネルごとに送信すべきデータを変調する変調ステップと、
該端末局が、該基地局に対して、信号波形の違いに起因して受信側における受信電界強度の検出誤差の補正のために使用される補償用パラメータを取得する補償用パラメータ取得ステップと、
該端末局が、該変調ステップにて変調された該送信すべきデータと該補償用パラメータ取得ステップにて取得された該補償用パラメータとを符号化して符号化データを送信する送信ステップとをそなえて構成されたことを特徴とする、受信電界強度補償方法。
【０１３７】
（付記２４）  所望の無線通信方式により変調された無線信号を送受信する複数の端末局と、該端末局と通信する基地局とをそなえた無線通信システムにおいて、
該基地局が、信号波形の違いに起因して受信側における受信電界強度の検出誤差の補正のために使用される補償用パラメータを有する無線信号を受信する受信ステップと、
該基地局が、該受信ステップにて受信された該無線信号の受信電界強度を検出する検出ステップと、
該基地局が、該受信ステップにて受信された該無線信号に含まれる該補償用パラメータと該検出ステップにて検出された該受信電界強度とに基づいて、該受信電界強度の検出誤差を補正する補正ステップとをそなえて構成されたことを特徴とする、受信電界強度補償方法。
【０１３８】
【発明の効果】
以上詳述したように、本発明によれば、以下に述べる効果ないしは利点が得られる。
【０１３９】
（１）回路規模の増大と、受信電界強度誤差検出とが、それぞれ、除去され、端末局から基地局に対して、補償用パラメータとしての補正量，多重数及び変調方式自体が報知されるので、基地局にて検出された受信電界強度を補正することが可能になる。
【０１４０】
（２）例えばＣＤＭＡ方式を用いた場合は、受信電界強度から自己決定される送信電力レベルがより妥当な値となるので遠近問題からくる通信品質の低下を防止することが可能となる。
【０１４１】
（３）端末局及び基地局の低消費電力化でき、さらに、遠近問題による通信品質の低下を抑制でき、周波数利用効率の向上により収容できる端末局の数の増加を図ることができる。
【０１４２】
（４）端末局及び基地局の簡素化が図れるとともに、受信電界強度の検出精度を向上させることができる。
【０１４３】
（５）端末局の多重数や、変調方式にかかわらず、受信電界強度の検出誤差を改善できる。
【０１４４】
（６）コーダ部が、自局と他局とを識別する符号を用いて符号化するように構成されてもよく、このようにすれば、受信電界強度を精度よく検出できるとともに、加入者を増加させることができる。
（７）補償用パラメータ生成部が、多重数を検出して出力する多重数検出部と、多重数検出部から出力された多重数に対応する補正量を補償用パラメータとして保持する第１補正メモリとをそなえて構成されてもよく、このようにすれば、簡素な構成で、多重数についての情報を検出することができる。
【０１４５】
（８）多重数検出部が、複数の保持部と、第１カウンタと、アドレス出力部と、第２カウンタとをそなえて構成されてもよく、このようにすれば、回路動作を高速化できる。
（９）多重数検出部が、チャネルグループごとにイネーブル数を出力するように構成されてもよく、このようにすれば、例えばイネーブル信号数のカウント動作が不要となり、多重数検出の高速化を図ることができる。
【０１４６】
（１０）多重数検出部が、イネーブル信号の組み合わせからなるアドレスに基づく多重数を保持する多重数メモリをそなえて構成されてもよく、また、補償用パラメータ生成部が、多重数を検出し多重数を補償用パラメータとして出力する多重数検出部をそなえて構成されてもよく、このようにすれば、多重数の検出を短期間で完了できる。
【０１４７】
（１１）端末局が、補償用パラメータ生成部における補償用パラメータを該コーダ部に入力する第１制御部をそなえて構成されてもよく、このようにすれば、通信状況に応じて補正量を制御できる。
（１２）補償用パラメータ生成部が、インタセプトファクタ決定部と、メモリとをそなえて構成されてもよく、このようにすれば、マルチモード対応の端末局をサポートできる。
【０１４８】
（１３）第２無線部が、符号分割多重された無線信号を受信し、受信主信号と受信電界強度電圧とを出力するように構成されてもよく、このようにすれば、回路規模を小型化できる。
（１４）補償用パラメータ出力部が、推定メモリと、第１補正量出力部とをそなえて構成されてもよく、また、第１補正量出力部が、受信主信号から、補正量を抽出して出力する電界強度補正量抽出部として構成されてもよく、このようにすれば、基地局における特別な演算を不要とでき、受信電界強度の検出誤差を補正することができる。
【０１４９】
（１５）補償用パラメータ出力部が、推定メモリと、多重数受信部と、第２補正量出力部とをそなえて構成されてもよく、また、第２補正量出力部が、多重数に対応する補正量を保持する第２補正メモリにより構成されてもよく、このようにすれば、端末局の小型化を図ることが可能である。
（１６）補償用パラメータ出力部が、推定メモリと、変調パラメータ出力部と、第３補正量出力部とをそなえて構成されてもよく、また、第３補正量出力部が、変調パラメータに対応する補正量を保持する第３補正メモリにより構成されてもよく、このようにすれば、端末局の簡素化と省電力化とを図りながら、基地局における受信電界強度の検出精度を向上させることができる。
【０１５０】
（１７）上記補償用パラメータ出力部が、受信電界強度電圧に基づいて推定メモリから受信電界強度データを読み出して補正部に入力するメモリ制御部をそなえて構成されてもよく、また、メモリ制御部が、受信電界強度に基づく所定の演算によって受信電界強度データを出力するように構成されてもよく、このようにすれば、やはり、受信電界強度の検出精度が高くなる。
【０１５１】
（１８）第２無線部が、入力電圧と出力電圧とが所望の特性を有する増幅器を用いて受信電界強度電圧を出力するように構成されてもよく、このようにすれば、既存の回路部品を流用することができ、部品の汎用性を維持することができる。
（１９）推定メモリが、受信電界強度電圧について、所定の特性を有する基準波に基づくオフセット値を考慮して受信電界強度データを保持するように構成されてもよく、このようにすれば、複雑な演算を不要とし、回路規模を小型化できる。
【図面の簡単な説明】
【図１】本発明の第１実施形態に係る無線通信システムの構成図である。
【図２】本発明の第１実施形態に係る端末局の送信部のブロック図である。
【図３】本発明の第１実施形態に係る多重数検出部及びデータ生成部のブロック図である。
【図４】本発明の第１実施形態に係る基地局の受信部のブロック図である。
【図５】本発明の第１実施形態に係る第２無線部の受信部のブロック図である。
【図６】送信フレームのフォーマット例を示す図である。
【図７】本発明の第１実施形態に係る多重数検出部及びデータ生成部の第２のブロック図である。
【図８】本発明の第１実施形態に係る多重数検出部及びデータ生成部の第３のブロック図である。
【図９】本発明の第１実施形態の変形例に係る端末局の送信部のブロック図である。
【図１０】本発明の第１実施形態の変形例に係る基地局の受信部のブロック図である。
【図１１】本発明の第２実施形態に係る端末局の送信部のブロック図である。
【図１２】本発明の第２実施形態に係る基地局の送信部のブロック図である。
【図１３】対数増幅器の入力電界と出力電圧との特性の一例を示す図である。
【図１４】出力電圧と受信電界強度との対応を示す図である。
【図１５】対数増幅器の回路構成の一例を示すブロック図である。
【図１６】各種の入力された信号波形に関する出力電圧オフセット値を示す図である。
【図１７】Ｎ−ＣＤＭＡシステムにおける多重数と受信電界強度検出値との特性の一例を示す図である。
【符号の説明】
１，１ａ，１ｂ  端末局
２，２ａ，２ｂ  基地局
３，３ａ，３ｂ  無線通信システム
４ａ  交換局
４ｂ  ネットワーク
５，５ａ，５ｂ  補償用パラメータ生成部
６，６ａ，６ｂ  補償用パラメータ出力部
１１ａ，１１ｂ  アンテナ
１２ａ  第１無線部
１２ｂ  第２無線部
１５，１５ａ，１５ｂ，３６，３６ａ，３６ｂ  ベースバンド部
１６  コーダ部
１７，１７ａ〜１７ｃ  データ生成部
１７−１〜１７−ｎ  伝送データ生成部
１８，１８ａ，１８ｂ  多重数検出部
１９  第１補正メモリ
１４ａ，１４ｂ  主制御部
２０，２０ａ  デコード部
２１  データ復調部
２１ｃ  変調パラメータ出力部
２２  推定メモリ
２３  補正部
２４  第１制御部
２５  変調部
２６ａ  補正量受信部（第１補正量出力部）
２６ｂ  多重数受信部（多重数検出部）
２６ｃ  変調パラメータ出力部
３０，３３ａ，３３ｂ，３３ｃ  イネーブル数カウンタ
３０ａ，３０ｃ  ｎ進カウンタ
３０ｂ  デコーダ
３０ｄ，３１ａ〜３１ｄ  フリップフロップ
３２ａ，３２ｅ  バンドパスフィルタ
３２ｂ  ローノイズアンプ
３２ｃ，３２ｆ  ミキサ
３２ｄ，３２ｇ  局部発信器
３２ｈ  ローパスフィルタ
３２ｉ，３２ｊ  Ａ／Ｄ変換器
３２ｋ  ＲＳＳＩ検出部
３４  加算器
３５  多重数ＲＯＭ
３７  メモリ制御部
３８  第２補正量出力部
３８ａ  第２補正メモリ
３９  第３補正量出力部
３９ａ  第３補正メモリ
４０ａ  インターセプトファクタ決定部
４０ｂ  メモリ
４１  フレーム
４１ａ  同期信号部
４１ｂ，４１ｄ  データ信号部
４１ｃ  パイロット信号部
４１ｅ  ＣＲＣ信号部
【図１】
0004234900.tif 000002
【図２】
0004234900.tif 000003
【図３】
0004234900.tif 000004
【図４】
0004234900.tif 000005
【図５】
0004234900.tif 000006
【図６】
0004234900.tif 000007
【図７】
0004234900.tif 000008
【図８】
0004234900.tif 000009
【図９】
0004234900.tif 000010
【図１０】
0004234900.tif 000011
【図１１】
0004234900.tif 000012
【図１２】
0004234900.tif 000013
【図１３】
0004234900.tif 000014
【図１４】
0004234900.tif 000015
【図１５】
0004234900.tif 000016
【図１６】
0004234900.tif 000017
【図１７】
0004234900.tif 000018